(57)【要約】【課題】安全性が高く、コンパクトな給電台であり、取り扱い性が良好なコードレスアイロンを提供する。【解決手段】本発明に関わるコードレスアイロン１０は、下部に設けられるアイロンがけを行うベース１と、通電中であってベース１が設定温度になるまでの間点灯するパイロットランプ４ｐとを有するアイロン本体１Ａと、アイロン本体１Ａが上に載置されることでアイロン本体１Ａに給電する給電台１Ｂと、給電台１Ｂに設けられ、給電台１Ｂが通電される場合に点灯する通電ランプ１２ｐとを備えている。【選択図】図１
2015024071.tif 000002
【特許請求の範囲】
【請求項１】
下部に設けられるアイロンがけを行うベースと、通電中であって前記ベースが設定温度になるまでの間点灯するパイロットランプとを有するアイロン本体と、
前記アイロン本体が上に載置されることで前記アイロン本体に給電する給電台と、
前記給電台に設けられ、前記給電台が通電される場合に点灯する通電ランプとを
備えることを特徴とするコードレスアイロン。
【請求項２】
前記通電ランプは、前記給電台の後部上面に設けられる
ことを特徴とする請求項１に記載のコードレスアイロン。
【請求項３】
前記アイロン本体は、
スチームに使用する水を貯留する給水タンクと、
前記給水タンクに注水する注水カップとを有し、
前記給電台は、
前記給電台に通電するための電源コードと、
前記電源コードと前記注水カップとが収納される収納空間とを有し、
前記注水カップは、前記収納空間の奥下方に横向きに収納され、
前記電源コードは、前記収納空間において前記注水カップより外側に収納される
ことを特徴とする請求項１または請求項２に記載のコードレスアイロン。
【請求項４】
前記注水カップは、前記収納空間内に収納される際に前記注水カップの中央上部が離隔する２つの固定リブにより弾性変形して収納される一方、前記収納空間内から取り出される際に前記注水カップの中央上部が前記離隔する２つの固定リブにより弾性変形して取り出される
ことを特徴とする請求項３に記載のコードレスアイロン。
【請求項５】
前記給電台は、
支持手段で下部を回転自在に支持され、前記収納空間を開閉する収納蓋を有し、
前記支持手段は軸と長穴との嵌合で構成される
ことを特徴とする請求項３または請求項４に記載のコードレスアイロン。
【発明の詳細な説明】
【技術分野】
【０００１】
本発明は、衣類等のしわ伸ばしをするアイロンを給電台に載置することで給電するコードレスアイロンに関する。
【背景技術】
【０００２】
従来、給電台に載置することで給電されるコードレスアイロンでは、給電台に通電していることをユーザに知らせるランプが設けられていない。
そのため、通電中の給電台に載置されたアイロンに、ユーザが触れる可能性がある。
【先行技術文献】
【特許文献】
【０００３】
【特許文献１】特開２００５−４０３２４号公報
【発明の概要】
【発明が解決しようとする課題】
【０００４】
ところで、特許文献１の構成は、給電台に、操作表示部(１４)が付いており、給電台のスペースを大きく占有する。また、特許文献１の段落００２７に記載されるように、アイロンがけを終了する時は、設定部を１．５ｓｅｃ以上押し続けることにより切表示が点灯する状態にして、商用電源を切って終了する必要があり、使い勝手がよいとは言い難い。特に家族が多いユーザの場合など、アイロンを頻繁に使う場合などには問題が大きい。
【０００５】
また、スチームに使う水をメインタンクに給水する際、台所に行き、適当なコップを見つけて、コップに水を汲み、給水する過程を経る必要がある。そのため、適当なコップを見つける手間がかかり、また、給水後にコップを台所に戻す動作が必要で、アイロンの取り扱い上、ユーザに負担をかける状況にある。
【０００６】
本発明は上記実状に鑑み、安全性が高く、コンパクトな給電台が可能であり、取り扱い性が良好なコードレスアイロンの提供を目的とする。
【課題を解決するための手段】
【０００７】
上記目的を達成すべく、第１の本発明に関わるコードレスアイロンは、下部に設けられるアイロンがけを行うベースと、通電中であって前記ベースが設定温度になるまでの間点灯するパイロットランプとを有するアイロン本体と、前記アイロン本体が上に載置されることで前記アイロン本体に給電する給電台と、前記給電台に設けられ、前記給電台が通電される場合に点灯する通電ランプとを備えている。
第１の本発明によれば、給電台が通電中は通電ランプが点灯するので、ユーザは、給電台が通電中か否かを、通電ランプを目視して容易に認識できる。
【０００８】
第２の本発明に関わるコードレスアイロンは、第１の本発明のコードレスアイロンにおいて、前記通電ランプは、前記給電台の後部上面に設けられている。
第２の本発明によれば、通電ランプは、給電台の後部上面に設けられるので、ユーザが通電ランプを目視し易く、使い勝手が良い。
【０００９】
第３の本発明に関わるコードレスアイロンは、第１または第２の本発明のコードレスアイロンにおいて、前記アイロン本体は、スチームに使用する水を貯留する給水タンクと、前記給水タンクに注水する注水カップとを有し、前記給電台は、前記給電台に通電するための電源コードと、前記電源コードと前記注水カップとが収納される収納空間とを有し、前記注水カップは、前記収納空間の奥下方に横向きに収納され、前記電源コードは、前記収納空間において前記注水カップより外側に収納されている。
第３の本発明によれば、注水カップは、収納空間の奥下方に横向きに収納され、電源コードは、収納空間において注水カップより外側に収納されるので、狭い収納空間を有効に活用して、注水カップを電源コードとともに、円滑に収納できる。
【００１０】
第４の本発明に関わるコードレスアイロンは、第３の本発明のコードレスアイロンにおいて、前記注水カップは、前記収納空間内に収納される際に前記注水カップの中央上部が離隔する２つの固定リブにより弾性変形して収納される一方、前記収納空間内から取り出される際に前記注水カップの中央上部が前記離隔する２つの固定リブにより弾性変形して取り出されている。
第４の本発明によれば、注水カップは、収納空間内に収納される際および収納空間内から取り出される際に、注水カップの中央上部が離隔する２つの固定リブにより弾性変形するので、横向きの注水カップの単位長さ当りの変形量が少なく済む。また、注水カップを左右逆に収納される場合にも、同様の変形量での注水カップの収納、取り出しが可能である。
【００１１】
第５の本発明に関わるコードレスアイロンは、第１または第２の本発明のコードレスアイロンにおいて、前記給電台は、支持手段で下部を回転自在に支持され、前記収納空間を開閉する収納蓋を有し、前記支持手段は軸と長穴との嵌合で構成されている。
第５の本発明によれば、給電台を開閉する収納蓋は、軸と長穴との嵌合で構成される支持手段で下部を回転自在に支持されるので、収納蓋の下部を収納空間内で円滑に回転させることができる。そのため、回転軸を給電台の下面近傍より上に配置でき、デザイン性が高いコードレスアイロンを実現できる。
【発明の効果】
【００１２】
本発明によれば、安全性が高く、コンパクトな給電台が可能であり、取り扱い性が良好なコードレスアイロンを実現できる。
【図面の簡単な説明】
【００１３】
【図１】本発明に係る実施形態のコードレスアイロンを斜め側方から見た斜視図。
【図２】アイロン本体を後下方から見た斜視図。
【図３】給電台を斜め上後方から見た斜視図。
【図４】給電台を上方から見た平面図。
【図５】図３のＡ−Ａ断面図。
【図６】コードレスアイロンの電気回路を示す回路図。
【図７】(ａ)は給電台本体前部の収納蓋を閉じた状態を前方から見た斜視図、(ｂ)は給電台本体後部の収納蓋を開いた状態を前方から見た斜視図。
【図８】図７(ａ)の給電台本体の前部を側方から見た中央前後方向で切断した縦断面図。
【図９】図７(ｂ)の収納蓋が開いた給電台本体の前部を側方から見た縦断面図。
【図１０】図７(ａ)と図７(ｂ)との間の位置にある収納蓋の状態の給電台本体の前部を側方から見た縦断面図。
【図１１】(ａ)は給電台本体の収納蓋を全開した状態を斜め前方から見た斜視図、(ｂ)は給電台本体の収納蓋を全開して給水カップを外した状態を斜め前方から見た斜視図。
【図１２】(ａ)は収納空間内に給水カップが収納されている状態を後方から見た図４のＢ−Ｂ断面図、(ｂ)は収納空間内に給水カップが収納されていない状態を後方から見た図４のＢ−Ｂ断面図
【図１３】給電台本体の収納蓋１４を開けて収納空間内から電源コードを取り出した給電台を斜め前方から見た斜視図。
【図１４】ユーザが給水カップでアイロン本体の注排水口から給水している状態を側方から見た斜視図。
【図１５】通電中の給電台本を斜め前方から見た斜視図。
【発明を実施するための形態】
【００１４】
以下、本発明の実施形態について添付図面を参照して説明する。
図１は、本発明に係る実施形態のコードレスアイロン１０を斜め側方から見た斜視図である。
実施形態のコードレスアイロン１０は、衣類等のしわを伸ばすために使用される電気機器であり、アイロン本体１Ａに電源コードｃが無く、給電台１Ｂに電源コードを有する構成である。
【００１５】
コードレスアイロン１０は、衣類等のしわを伸ばすためのかけ面１ａを有するアイロン本体１Ａと、アイロン本体１Ａを加熱する際に載置され給電する給電台１Ｂとを備えている。
コードレスアイロン１０の使用時には、給電台１Ｂから電源コードｃが延在されて商用電源に接続され、給電台１Ｂに給電される。
【００１６】
アイロン本体１Ａは、その下面のかけ面１ａを加熱するためのシーズヒータ(図示せず)が埋設されるベース１と、ベース１が固定され外形状を形成する本体ケース２と、本体ケース２の上部に形成されアイロンがけおよびアイロンの持ち運びに際して使用者に握られるハンドル４とを具えている。
ハンドル４の下方の本体ケース２の上部には、その前方から左右両側方に跨いで後方にかけて水タンク３が形成されている。
【００１７】
水タンク３は、アイロンかけ中にスチームで衣類に補給する水分を貯留するものであり、透明または半透明の樹脂で形成されている。水タンク３の上面には、ハンドル４の前方に、スチーム噴き出しの際に押上げられるスチーム釦ｂuが配設されている。スチーム釦ｂuは、押下された場合にドライとなりスチームが停止し、押上げられるとスチーム状態となり、スチーム孔１ａ1(図２参照)からスチームが噴出される。図２は、アイロン本体１Ａを後下方から見た斜視図である。
【００１８】
本体ケース２の前方には、水タンク３に給水するための注排水口(図示せず)が水タンク３の内部空間に連通して形成されている。注排水口には、開閉可能な注排水口蓋３ｆが本体ケース２の前方に取り付けられている。注排水口蓋３ｆは、本体ケース２に弾性変形を用いて係止され注排水口が閉じられる。
【００１９】
ユーザが給水蓋３ｆを下から手をかけて上方に引くことで、図１の二点鎖線で示すように、給水蓋３ｆが開き、ユーザは、後記の給水カップ１５に汲んだ水を注排水口から供給する。給水後、ユーザは、給水蓋３ｆを本体ケース２に押圧することで、図１の実線に示すように、給水蓋３ｆが本体ケース２に弾性変形を用いて係止され、注排水口が塞がれ閉じられる。
【００２０】
ベース１は、本体がアルミダイキャストで成型され、本体上部にニクロム線を酸化マグネシウム、鋼管で覆ったシーズヒータ１ｔ(図６参照)が埋め込まれている。また、ベース１の下面のかけ面１ａは衣類等との滑りを良くするために耐食性に優れ軽くて強いチタン含有のフッ素加工が施されている。ベース１下面のかけ面１ａには、水タンク３内の水分の気化室に連通しアイロンかけ中にスチームを噴出するためのスチーム孔１ａ1(図２参照)が複数穿設されている。
【００２１】
なお、ベース１のかけ面１ａは、フッ素加工を施すことなく、板厚の薄い、例えば０．５ｍｍ厚の熱容量の大きいステンレス鋼板をベース１本体に塑性変形させ取り付けることで構成してもよい。
水タンク３の上部には、ベース１の温度を調節するための温度調節ツマミ１ｈが回転自在に設けられている。ユーザは温度調節ツマミ１ｈを回転させることで、ベース１の温度を所望の温度に調節し設定する。
【００２２】
アイロン本体１Ａの本体ケース２は、ＰＢＴ(ホ゜リフ゛チレンテレフタレート)等の耐熱性樹脂で形成されている。そして、図２に示すように、本体ケース２の下方後部には略直方体状の空間である凹状の受電部２ａが形成されている。受電部２ａの後面２ａ0には、後方に向けてアイロン本体１Ａを加熱するための給電に用いられる導電性の一対の接続端子６、６が突設されている。
【００２３】
接続端子６、６間には、アイロン本体１Ａを給電台１Ｂに載置し、接続端子６、６を給電台１Ｂのコネクタ孔８ａ、８ａ(図３参照)に挿入する際のガイドとなる平板状の端子用ガイドリブＴが、接続端子６、６と平行に後方に向けて立設されている。図３は、給電台１Ｂを斜め上後方から見た斜視図である。図４は、給電台１Ｂを上方から見た平面図である。
端子用ガイドリブＴは、接続端子６、６と略平行な両側面Ｔ１、Ｔ１と受電部２ａ下部から後方にいくに従い次第に上方に傾斜して立設される傾斜後面Ｔ２を有して形成されている。
【００２４】
図１に示すように、ハンドル４の後部には、その上面に、本体ケース２のベース１に通電中であることを示すパイロットランプ４ｐが設けられている。
パイロットランプ４ｐは、アイロン本体１Ａを給電台１Ｂに載置して、給電台１Ｂのコネクタ孔８ａ、８ａ内の端子８ａ１、８ａ１(図６参照)、接続端子６、６を介して、給電が行われている場合に温度調節ツマミ１ｈで設定した温度に達するまで、点灯が継続される。そして、アイロン本体１Ａが設定した温度に到達した際にはパイロットランプ４ｐは消灯する。
【００２５】
一方、アイロン本体１Ａを給電台１Ｂに載置しておらず、アイロン本体１Ａに給電が行なわれていない際には、パイロットランプ４ｐは、消灯したままである。
図２に示すように、アイロン本体１Ａの下後縁部には、アイロン本体１Ａを給電台１Ｂに載置する際のガイドとなる一対の被ガイド部となる載置用ガイドリブＳ１、Ｓ２が、平板状を有し形成されている。
【００２６】
載置用ガイドリブＳ１、Ｓ２は、それぞれアイロン本体１Ａの本体ケース２の下面２ｂから下方に突出するとともに、本体ケース２の下部後面２ｃから後方に突出する態様で形成されている。
図３に示すように、給電台１Ｂは、給電台本体１Ｂ１と、給電台本体１Ｂ１が回転自在に支持される回転台１３とを具えている。
【００２７】
＜給電台本体１Ｂ１＞
給電台本体１Ｂ１は、下部の置き台１１と該置き台１１に接合される上部のアイロン載置部１２とを有し構成されている。置き台１１は、アイロン台Ｄなどの設置面に載置される回転台１３に対して、回転自在に支持されている。これにより、ユーザが給電台本体１Ｂ１を押すことで好みの方向に、給電台本体１Ｂ１の向きを変えて、アイロンかけを行うことができる。
【００２８】
給電台１Ｂ下部の置き台１１は、例えば、ＰＰ(ホ゜リフ゜ロヒ゜レン)を用いて形成され、電源に接続されアイロン本体１Ａに給電するための電源コードｃが設けられている。
給電台１Ｂ上部のアイロン載置部１２は、加熱されたアイロン本体１Ａが載置されることから、例えば耐熱性のＰＢＴ(Polybutylene terephthalate)を用いて形成されている。
【００２９】
アイロン載置部１２の上面１２ａは、アイロン本体１Ａに加わる下向きの重力を利用して、アイロン本体１Ａの下後縁部の接続端子３、３を給電台１Ｂに設けられるコネクタ孔８ａ、８ａに挿入し、電極端子８ａ１、８ａ１(図６参照)を介して、給電することから、後方側が低い形状に形成されている。
【００３０】
アイロン載置部１２の中央やや前方に、短円柱状の一対のガイドローラ７、７が、回動自在に軸支されている。これにより、アイロン本体１Ａを給電台１Ｂ上に載置するに際して、アイロン本体１Ａのかけ面１ａが、この一対のガイドローラ７、７上に載せられ、ガイドローラ７、７が回動することによりころがり摩擦力をもって、アイロン本体１Ａのかけ面１ａを移動させ、アイロン本体１Ａを給電台１Ｂ上の所定の載置位置へ案内している(図１参照)。
【００３１】
また、アイロン載置部１２における一対のガイドローラ７、７のやや後方の上面１２ａには、後方側が下降して形成された上面1２ａから後方に行くに従い次第に上方に離間する態様で立設される細幅の一対の載置用リブｒ、ｒが形成されている。アイロン本体１Ａが給電台１Ｂ上に載置されるに際し、アイロン本体１Ａのかけ面１ａが載置用リブｒ、ｒ上を摺動する。
【００３２】
＜給電部８＞
アイロン載置部１２の後部には、給電部８が前方に突出した形状に形成され、給電部８には、アイロン本体１Ａ下方後部の接続端子６、６(図２参照)が挿入されるコネクタ孔８ａ、８ａが穿設されている。このコネクタ孔８ａ、８ａ内には、電源に電源コードＣを介して電気的に接続される電極端子８ａ１、８ａ１(図６参照)が設けられている。
【００３３】
前記したように、アイロン本体１Ａに給電するに際しては、アイロン本体１Ａの接続端子６、６を、給電部８のコネクタ孔８ａ、８ａに挿入して商用電源に接続される電極端子８ａ１、８ａ１に接触させて給電する。
【００３４】
コネクタ孔８ａ、８ａ間には、アイロン本体１Ａ下方後部の端子用ガイドリブＴ(図２参照)をガイドするスリット状の端子用ガイド孔８ｂが穿設され、アイロン本体１Ａに給電するに際して、この端子用ガイド孔８ｂに、アイロン本体１Ａの接続端子６、６間の端子用ガイドリブＴ(図２参照)が挿入されることにより、アイロン本体１Ａ後部の接続端子６、６が、円滑にそれぞれコネクタ孔８ａ、８ａの正規の位置に案内され挿入される。
また、アイロン載置部１２の給電部８と一対の載置用リブｒ、ｒ間には、アイロン本体１Ａを給電台１Ｂに載置するに際して、アイロン本体１Ａの載置用ガイドリブＳ１、Ｓ２(図２参照)が嵌入される載置用ガイド溝ｍ、ｍが形成されている。
【００３５】
給電部８の下方前部に連続して、アイロン本体１Ａを給電台１Ｂに載置するに際して、アイロン本体１Ａを給電台１Ｂ上の所定位置に案内するための載置用ガイド９が形成されている。載置用ガイド９は、図１に示す給電台１Ｂにおけるアイロン本体１Ａの給電に際しての所定の載置面に対して上面視で、図４に示すように、中央側壁面９ａ1が前方に突き出す曲率をもつ側壁面９ａを有している。
【００３６】
この曲率を有する形状により、アイロン本体１Ａを給電台１Ｂに載置するに際して、水平方向のガイドを行うことが可能である。例えば、アイロン本体１Ａが給電台１Ｂの所定の載置位置に対して水平方向に大きな角度傾いて載置されようとした場合にも、アイロン本体１Ａの下向きの重力を利用して、載置用ガイド９によってアイロン本体１Ａの載置用ガイドリブＳ１、Ｓ２を案内してアイロン本体１Ａを、給電台１Ｂの所定の給電位置に載置でき、ガイド効果をより高めることができる。
【００３７】
＜給電台通電ランプカバー１２ｐ＞
また、給電台１Ｂの後部上面には、給電台通電ランプカバー１２ｐが設けられている。
図５は、図３のＡ−Ａ断面図である。
給電台１Ｂ内には、給電台通電ランプカバー１２ｐを点灯するネオンランプなどの光源１２ｋが設けられている。光源１２ｋの端子１２ｋ１、１２ｋ２は、給電台１Ｂ内に配置される接続端子１２ｔ１、１２ｔ２に接続されている。接続端子１２ｔ１、１２ｔ２は、電源コードｃに電気的に接続されている。
【００３８】
＜コードレスアイロン１０の電気回路＞
図６は、コードレスアイロン１０の電気回路を示す回路図である。
コードレスアイロン１０の回路１０Ｋは、給電台１Ｂ側の回路である給電台側回路１０Ｋ１と、アイロン本体１Ａ側のアイロン本体側回路１０Ｋ２とを有して構成されている。
給電台側回路１０Ｋ１における接続端子１２ｔ１、１２ｔ２は、電源コードｃに電気的に接続されている。電源コードｃの電源プラグｃ１が商用電源に接続されることで、給電台側回路１０Ｋ１に電源が供給される。
【００３９】
給電台側回路１０Ｋ１とアイロン本体側回路１０Ｋ２とは、図１に示すように、アイロン本体１Ａを給電台１Ｂ上に載置して、アイロン本体１Ａの接続端子６、６(図２参照)を、給電台１Ｂのコネクタ孔８ａ、８ａに挿入し、電極端子８ａ１、８ａ１に接続することで、図６に示す如く、接続される。これにより、電源コードｃから供給される電源に、給電台側回路１０Ｋ１とアイロン本体側回路１０Ｋ２とが並列に接続されることとなる。
【００４０】
給電台側回路１０Ｋ１において、光源１２ｋの端子１２ｋ１、１２ｋ２が接続端子１２ｔ１、１２ｔ２に接続されている。
本体側回路１０Ｋ２には、温度調節ツマミ１ｈに設定した温度にベース１の温度が達するまで回路を接続する一方、温度調節ツマミ１ｈに設定した温度にベース１の温度が達したら回路を切断するサーモスタットなどの温度検出スイッチｓｗ１と、設定温度以上になった場合に回路を切断するヒューズｈ１とが直列に接続されている。そして、接続端子６、６に並列に、ハンドル４の後部に配置されるパイロットランプ４ｐ(図１参照)と、ベース１を加熱するシーズヒータ１ｔとが接続されている。
【００４１】
＜収納空間１６と収納蓋１４＞
図７は、給電台本体１Ｂ１を斜め前方から見た斜視図であり、図７(ａ)は給電台本体１Ｂ１前部の収納蓋１４を閉じた状態を前方から見た斜視図であり、図７(ｂ)は給電台本体１Ｂ１前部の収納蓋１４を開いた状態を前方から見た斜視図である。
図８は、図７(ａ)の給電台本体１Ｂ１の前部を側方から見た中央前後方向で切断した縦断面図である。
【００４２】
図９は、図７(ｂ)の収納蓋１４が開いた給電台本体１Ｂ１の前部を側方から見た縦断面図である。
図１０は、図７(ａ)と図７(ｂ)との間の位置にある収納蓋１４の状態の給電台本体１Ｂ１の前部を側方から見た縦断面図である。なお、図８〜図１０において、電源コードｃは省略して示している。
【００４３】
給電台本体１Ｂ１の前内部には、給水カップ１５と電源コードｃとを収納するための収納空間１６が形成されている。給電台本体１Ｂ１の前内部の収納空間１６は、収納蓋１４によって開閉される構成である。
【００４４】
収納蓋１４の上部には、内部に突出する略Ｕ字様の形状に形成される係止部１４ａが一体に形成されている。係止部１４ａには、把持部１４ａ１が凹凸を有して上部に形成されている。給電台本体１Ｂ１の後部の収納蓋１４の係止部１４ａに対応する位置には、収納蓋１４の係止部１４ａが係止する被係止部１１ｋが形成されている。
【００４５】
図７に示すように、収納蓋１４の下横部には、電源コードｃを引き出して商用電源に接続する際に、電源コードｃが挿通するコード引き出し口１４ｂが形成されている。
図８〜図１０に示すように、収納蓋１４の内下部には、奥側に長い長穴であるヒンジ孔１４ｃ２を有するヒンジリブ１４ｃ１が一対内部に突出する形状で形成されている。
【００４６】
一方、給電台本体１Ｂ１内の収納空間１６の内部には、下部の置き台１１と一体に、ヒンジリブ１４ｃ１のヒンジ孔１４ｃ２に嵌入される円柱形状のヒンジ軸１１ｈ２を有するヒンジリブ１１ｈ１が、側面視で略逆Ｌ字状に内部に突出する形状に射出成形で形成されている(図１１、図１３参照)。
【００４７】
ユーザは、置き台１１の一対のヒンジリブ１１ｈ１のヒンジ軸１１ｈ２を中央側に押圧することで、一対のヒンジリブ１１ｈ１を中央側に弾性変形させ、収納蓋１４の一対のヒンジリブ１１ｈ１のヒンジ軸１１ｈ２を、中央側から収納蓋１４の一対のヒンジリブ１４ｃ１のヒンジ孔１４ｃ２に嵌入する。
【００４８】
そして、ヒンジリブ１１ｈ１の弾性変形を復元させることで、収納蓋１４を給電台本体１Ｂ１の下後内部に回転自在に取り付けられる。収納蓋１４の開閉時には、図８〜図１０に示すように、置き台１１の一対のヒンジリブ１１ｈ１のヒンジ軸１１ｈ２が収納蓋１４のヒンジリブ１４ｃ１のヒンジ孔１４ｃ２の長穴内を移動することで、円滑に収納蓋１４の開閉が行われる。
【００４９】
ユーザによる収納蓋１４の開閉動作は、以下のように遂行される。
図７(ａ)、図８の状態で、ユーザは、収納蓋１４の上部の係止部１４ａの把持部１４ａ１を下方に押し下げる(図７(ａ)、図８の矢印β１参照)。すると、把持部１４ａ１が下方に変形され(図８の矢印β５参照)、収納蓋１４の係止部１４ａが給電台本体１Ｂ１の前部の被係止部１１ｋから外れる。
【００５０】
すると、置き台１１の一対のヒンジリブ１１ｈ１のヒンジ軸１１ｈ２に対して、収納蓋１４のヒンジリブ１４ｃ１の長穴のヒンジ孔１４ｃ２が移動し、換言すれば、収納蓋１４のヒンジリブ１４ｃ１の長穴のヒンジ孔１４ｃ２内を置き台１１の一対のヒンジリブ１１ｈ１のヒンジ軸１１ｈ２が相対的に移動し、図１０の状態を経て、図７(ｂ)、図９に示すように、収納蓋１４が給電台本体１Ｂ１の後部から全開され、給電台本体１Ｂ１後部の収納空間１６が開放される。
図７(ｂ)、図９の状態で、収納空間１６内に収納される電源コードｃや給水カップ１５を外側に取り出すことができる。
【００５１】
＜給水カップ１５の収納構造＞
図１１(ａ)は、給電台本体１Ｂ１の収納蓋１４を全開した状態を斜め前方から見た斜視図であり、図１１(ｂ)は、給電台本体１Ｂ１の収納蓋１４を全開して給水カップ１５を外した状態を斜め前方から見た斜視図である。
図１１(ａ)に示すように、収納空間１６の奧下部には、給水カップ１５が取り出し、取り付け自在に収納される構成である。
【００５２】
以下、給水カップ１５の収納構造について説明する。
図１１(ｂ)、図９に示すように、置き台１１を構成する底板１１ｓには、収納された横向きの給水カップ１５の奥側に、給水カップ１５の上部(図１１(ａ)の右側)と下部(図１１(ａ)の左側)にそれぞれ当接する一対の下収納リブ１１ｓ１、１１ｓ２が、上方に突出して奥側が高く手前が低い三角形状の平板状の形状に一体に形成されている。下収納リブ１１ｓ１、１１ｓ２は、底板１１ｓを射出成形するに際して、一体に成形される。
【００５３】
また、底板１１ｓに対向して収納空間１６を構成する置き台内板１１ｎは、図９に示すように、アイロン載置部１２の形状に沿って前部から後部にいくに従って下位置になる傾斜を有して形成されている。置き台内板１１ｎの奥側は、有底円筒状の給水カップ１５の外周面に沿った略円筒状の形状に部分的な形成されている。アイロン載置部１２と置き台内板１１ｎとの間には、アイロン載置部１２に載置されるアイロン本体１Ａの高温のベース１の熱を断熱するための断熱材１２ｄが配設されている。
【００５４】
図１１(ｂ)に示すように、横向きで収納される給水カップ１５を、後下部の底板１１ｓの下収納リブ１１ｓ１、１１ｓ２とともに上前部で囲むように、給水カップ１５の中央部に対向する位置に、一対の上収納リブ１１ｎ１、１１ｎ２が置き台内板１１ｎに一体に形成されている。
【００５５】
図９に示すように、上収納リブ１１ｎ２は、奥側よりも手前側がやや低い略三角形の平板形状に下方に突出して、置き台内板１１ｎに一体に形成されている。
同様に、上収納リブ１１ｎ１は、奥側よりも手前側がやや低い略三角形の平板形状に下方に突出して、置き台内板１１ｎに一体に形成されている。
一対の上収納リブ１１ｎ１、１１ｎ２は、置き台内板１１ｎが射出成形される際に、一体に成形される。
【００５６】
＜給水カップ１５の収納＞
給水カップ１５を収納空間１６内に収納するに際しては、樹脂製の給水カップ１５を横向きにして収納空間１６の奥下部に押し込み、給水カップ１５の中央部を置き台内板１１ｎの一対の上収納リブ１１ｎ１、１１ｎ２により下方に小さい量、弾性変形させて、図１１(ａ)、図１０に示すように、給水カップ１５を、下部の底板１１ｓの下収納リブ１１ｓ１、１１ｓ２と上部の置き台内板１１ｎの一対の上収納リブ１１ｎ１、１１ｎ２との間に収納する。
【００５７】
給水カップ１５は、ポリプロピレンなどの透明な樹脂を用いて、薄い有底円筒形のカップ状に成形される。そのため、上記一対の上収納リブ１１ｎ１、１１ｎ２による小さい量の弾性変形は弾性限度内で行われ、良好に下部の底板１１ｓの下収納リブ１１ｓ１、１１ｓ２と上部の置き台内板１１ｎの一対の上収納リブ１１ｎ１、１１ｎ２との間に収納することができる。
これにより、給水カップ１５は、給電台本体１Ｂ１後部の収納空間１６の奥下部に確実に収納される。
【００５８】
＜給水カップ１５の取り出し＞
一方、収納空間１６内に収納される給水カップ１５を取り出すに際しては、下部の底板１１ｓの下収納リブ１１ｓ１、１１ｓ２と上部の置き台内板１１ｎの一対の上収納リブ１１ｎ１、１１ｎ２との間に収納される給水カップ１５を、ユーザが把持して外方に引くことで、給水カップ１５が上側の一対の上収納リブ１１ｎ１、１１ｎ２により小さな量弾性変形し(図９参照)、給水カップ１５を収納空間１６の外部に容易に取り出すことができる。
【００５９】
図１２(ａ)は、収納空間１６内に給水カップ１５が収納されている状態を後方から見た図４のＢ−Ｂ断面図であり、図１２(ｂ)は、収納空間１６内に給水カップ１５が収納されていない状態を後方から見た図４のＢ−Ｂ断面図である。
収納空間１６内に横向きの状態で収納された給水カップ１５は、給水カップ１５の上部(図１２(ａ)の給水カップ１５の右側)を、底板１１ｓの下収納リブ１１ｓ１で下方から支持され、給水カップ１５の下部(図１２(ａ)の給水カップ１５の左側)を、底板１１ｓの下収納リブ１１ｓ２で下方から支持される。
【００６０】
一方、収納空間１６内に横向きの状態で収納された給水カップ１５は、図１２(ａ)、図１０に示すように、中央部を上方から置き台内板１１ｎの一対の上収納リブ１１ｎ１、１１ｎ２で支持される。
【００６１】
もし、図１２の本実施形態の構成と異なり、給水カップ１５の中央部を、一つのリブで支持する場合には、横向きの状態で収納された給水カップ１５は上方が１点で支持される。そのため、横向きの状態で収納された給水カップ１５は、上部(図１２の給水カップ１５の左側)と下部(図１２の給水カップ１５の右側)が支持を受けないため、給電台１Ｂを移動させる場合などに、給水カップ１５の上部または下部(図１２の給水カップ１５の右・左側)が上方に跳ね上がる可能性がある。
さらに、収納された給水カップ１５の上部(図１２の給水カップ１５の左側)または下部(図１２の給水カップ１５の右側)が前方に飛び出すおそれがある。
【００６２】
これに対して、本実施形態の構成では、収納空間１６内で横向きの状態の給水カップ１５の中央部を、上方から、置き台内板１１ｎの一対の離隔する上収納リブ１１ｎ１、１１ｎ２で抑えるように支持するので、横向きの状態の給水カップ１５が上方から長手方向に確実に支持される。
【００６３】
そのため、収納空間１６内で横向きの状態に収納される給水カップ１５の上部(図１２の給水カップ１５の左側)または下部(図１２の給水カップ１５の右側)が上方に跳ね上がることを防ぐことができる。
【００６４】
また、図１１(ａ)、図９の横向きの状態に収納する際または取り出す際に給水カップ１５は、置き台内板１１ｎの一対の離隔する上収納リブ１１ｎ１、１１ｎ２で押圧され、中央部が下方に変形するため、給水カップ１５の上部(図１２の給水カップ１５の左側)または下部(図１２の給水カップ１５の右側)に偏って、給水カップ１５が変形する場合に比べて、長さ当たりの変形量が小さく、無理のない給水カップ１５の弾性変形を生じさせて、使用することができる。
【００６５】
さらに、給水カップ１５の中央が上方から一対の離隔する上収納リブ１１ｎ１、１１ｎ２で支持されるので、収納された給水カップ１５の上部(図１２の給水カップ１５の左側)または下部(図１２の給水カップ１５の右側)が前方に飛び出すことが抑制される。
【００６６】
＜コードレスアイロン１０の使用方法＞
次に、コードレスアイロン１０の使用方法について、説明する。
まず、ユーザは、図７(ａ)に示す給電台本体１Ｂ１前部の収納蓋１４の把持部１４ａ１を下方(図７(ａ)の矢印β１方向)に押し下げ把持部１４ａ１を下方に変形させ、給電台本体１Ｂ１前部の被係止部１１ｋから収納蓋１４の上部の係止部１４ａを外す。すると、図７(ｂ)に示すように、収納蓋１４が外側に倒れ、給電台本体１Ｂ１の収納空間１６が全開される。
【００６７】
続いて、ユーザは、図１３に示すように、給電台本体１Ｂ１の収納空間１６内から電源コードｃを取り出し、電源コードｃの先端に接続される電源プラグｃ１を不図示の商用電源に接続する。図１３は、給電台本体１Ｂ１の収納蓋１４を開けて収納空間１６内から電源コードｃを取り出した給電台１Ｂを斜め前方から見た斜視図である。
【００６８】
電源プラグｃ１を商用電源に接続することで、図６の光源１２ｋに電流が流れ光源１２ｋが発光し、給電台本体１Ｂ１の後部の給電台通電ランプカバー１２ｐが点灯する。
そして、ユーザは、給電台本体１Ｂ１の収納空間１６の奥下部に収納される給水カップ１５を一対の離隔する上収納リブ１１ｎ１、１１ｎ２に対して、弾性変形させて外に取り出す。
【００６９】
ユーザは、台所、洗面所などで給水カップ１５に水を汲んだ後、図１４に示すように、アイロン本体１Ａの給水蓋３ｆを下から手をかけて引き(図１４の矢印β２参照)給水蓋３ｆを開き、給水カップ１５の水ｗをアイロン本体１Ａの注排水口から、水タンク３の「満水」の目盛りを目安に注ぐ。図１４は、ユーザが給水カップ１５でアイロン本体１Ａの注排水口から給水している状態を側方から見た斜視図である。
【００７０】
水タンク３への注水が終了すると、ユーザは、図１４の矢印β３に示すように、給水蓋３ｆを押し下げて本体ケース２に押圧して係止する。
図１５は、通電中の給電台本１Ｂを斜め前方から見た斜視図である。
【００７１】
その後、ユーザは、図１５の通電中の給電台１Ｂ上に、給水したアイロン本体１Ａを、図１に示すように、載置して、アイロン本体１Ａの接続端子６、６を給電台１Ｂ後部のコネクタ孔８ａ、８ａ差込み、通電中の給電台１Ｂから給電する。
【００７２】
そして、アイロンがけできる温度(温度調節ツマミ１ｈで設定した温度)になるまで、アイロン本体１Ａを加熱する。アイロン本体１Ａのベース１の温度は、図６に示す温度検出スイッチｓｗ１で計測される。
ここで、アイロン本体１Ａのベース１が、温度調節ツマミ１ｈで設定した温度になるまで、アイロン本体１Ａ上部のパイロットランプ４ｐは点灯し続ける。
【００７３】
その後、アイロン本体１Ａのベース１が設定した温度になった場合には、図６に示す温度検出スイッチｓｗ１が切断され(図６の温度検出スイッチｓｗ１の二点鎖線参照)シーズヒータ１ｔおよびパイロットランプ４ｐの通電が絶たれ、パイロットランプ４ｐが消灯する。
【００７４】
給水カップ１５は、ユーザがアイロンがけ終了後、電源コードｃを給電台１Ｂ内へ収納するに際して、給電台１Ｂ内に下記のようにして収納する。
ユーザは、アイロンがけを終了するため、電源コードｃを商用電源から抜く。
そして、ユーザは、図７(ａ)に示す給電台本体１Ｂ１前部の収納蓋１４の把持部１４ａ１を下方(図７(ａ)の矢印β１方向)に押し下げ把持部１４ａ１を下方に変形させ、給電台本体１Ｂ１前部の被係止部１１ｋから収納蓋１４の上部の係止部１４ａを外して、給電台本体１Ｂ１の収納空間１６を開ける。
そして、ユーザは、空になった給水カップ１５を、図１１(ｂ)に示すように、横向きにして、収納空間１６の下側の底板１１ｓの下収納リブ１１ｓ１、１１ｓ２と上側の置き台内板１１ｎの上収納リブ１１ｎ１、１１ｎ２の間に押し込む。
【００７５】
すると、図９の二点鎖線に示すように、給水カップ１５の中央部が置き台内板１１ｎの上収納リブ１１ｎ１、１１ｎ２に反力で押され弾性変形し、下側の底板１１ｓの下収納リブ１１ｓ１、１１ｓ２と上側の置き台内板１１ｎの上収納リブ１１ｎ１、１１ｎ２の間に嵌入され、給水カップ１５が収納される(図１１、図９参照)。
【００７６】
その後、ユーザは、図７(ｂ)に示すように、電源コードｃを収納空間１６内に収納する。
そして、図１３に示すように、ユーザは、開いた収納蓋１４の把持部１４ａ１を持って上方に回転させて(図１３の矢印β４)給電台本体１Ｂ１に向けて押圧する。これにより、収納蓋１４の係止部１４ａの把持部１４ａ１が下方に弾性変形し(図８の矢印β５)、把持部１４ａ１が給電台本体１Ｂ１の後部の被係止部１１ｋに係止され、収納蓋１４が閉塞される。
【００７７】
上記構成によれば、以下の効果を奏する。
１．給電台１Ｂへの通電中は、アイロン本体１Ａのベース１が設定温度となり、パイロットランプ４ｐが消灯しても、給電台１Ｂの通電中は給電台通電ランプカバー１２ｐが点灯を継続する。そのため、パイロットランプ４ｐの消灯時にユーザがアイロン本体１Ａの高温のベース１に誤って触れるのを防ぐことができる。
【００７８】
２．給電台１Ｂに給電台通電ランプカバー１２ｐを設けたので、ユーザがアイロン本体１Ａの温度設定をしたまま、給電台１Ｂに通電中に電源コードｃを抜き忘れて外出するのを防ぐことができる。
【００７９】
３．ユーザがアイロンの故障の判断をする際、図１５に示すように、給電台１Ｂに通電中は給電台通電ランプカバー１２ｐが点灯するので、給電台１Ｂには異常がないことが確認できる。
また、給電台通電ランプカバー１２ｐが点滅している場合は、ユーザが電源コードｃのプラグ、コードの接触不良の異常であると判定ができ、使用を停止できる。
【００８０】
４．給水カップ１５を収納空間１６内に収納できるように構成したので、ユーザが給水カップ１５を紛失することを防ぐことができ、利便性がある。
【００８１】
５．給水カップ１５の収納構造は従来の部品に一体に形成するように構成したので、給水カップ１５の収納構造の追加によるコスト上昇を抑えることができる。
【００８２】
６．給水カップ１５の収納構造は、横向きの給水カップ１５の収納、取り出しに際して、給水カップ１５の中央部が離隔する２つの上収納リブ１１ｎ１、１１ｎ２を弾性変形してくぐる構成としている。そのため、上収納リブ１１ｎ１、１１ｎ２の位置が給水カップ１５の中央部であることから、横向きの給水カップ１５の収納、取り出しに際しての給水カップ１５の単位長さ当りの変形量が少なく済む。
【００８３】
７．給水カップ１５を横向きの左右逆に収納した場合にも、横向きの給水カップ１５を略同じ量の弾性変形で収納、取り出しが行える。
そのため、給水カップ１５を確実にかつ容易に収納空間１６内に支持して収納することが可能である。
【００８４】
８．収納空間１６内の給水カップ１５の収納スペースを収納空間１６のデッドスペースの奧下方にしたので、収納空間１６のスペースを有効に活用でき、電源コードｃと給水カップ１５とを収納空間１６内の狭い空間に円滑に収納することができる。
【００８５】
９．収納蓋１４を開閉する開閉構造は、軸と長穴との嵌合で構成したので、収納蓋１４の開閉に際して、収納蓋１４の下部を収納空間１６の底部に良好に逃がすことができる。
【００８６】
１０．収納蓋１４の蝶番位置を給電台本体１Ｂ１の底面より上に位置することができ(図７(ａ)参照)、デザイン性、商品性が高い。
【００８７】
なお、本発明は、前記した実施形態に限定されるものではなく、発明の趣旨を逸脱しない範囲で適宜設計変更が可能であり、本発明の範囲内で様々な修正と変更が可能である。すなわち、本発明の具体的形態は、発明の趣旨を変更しない範囲において適宜、任意に変更可能である。
【符号の説明】
【００８８】
１      ベース
１Ａ    アイロン本体
１Ｂ    給電台
３      水タンク(給水タンク)
４ｐ    パイロットランプ
１２ｐ  給電台通電ランプカバー(通電ランプ)
１０    コードレスアイロン
１１ｈ１  置き台のヒンジリブ(支持手段)
１１ｈ２  ヒンジ軸(軸)
１１ｎ１、１１ｎ２  上収納リブ(固定リブ)
１４    収納蓋
１４ｃ１  収納蓋のヒンジリブ(支持手段)
１４ｃ２  ヒンジ孔(長穴)
１５    注水カップ
１６    収納空間
ｃ      電源コード
【図１】
2015024071.tif 000003
【図２】
2015024071.tif 000004
【図３】
2015024071.tif 000005
【図４】
2015024071.tif 000006
【図５】
2015024071.tif 000007
【図６】
2015024071.tif 000008
【図７】
2015024071.tif 000009
【図８】
2015024071.tif 000010
【図９】
2015024071.tif 000011
【図１０】
2015024071.tif 000012
【図１１】
2015024071.tif 000013
【図１２】
2015024071.tif 000014
【図１３】
2015024071.tif 000015
【図１４】
2015024071.tif 000016
【図１５】
2015024071.tif 000017